(57)【要約】【課題】通信周波数帯との干渉を抑止する。【解決手段】ノートＰＣ１００は、通信周波数帯が異なる複数の無線モジュールと、ＬＣＤパネル１０３を表示制御する動作周波数と、当該動作周波数でＬＣＤパネル１０３を表示制御するための表示タイミング情報と、を対応付けて記憶するメモリ２０３と、複数の無線モジュールのうち、通信を行っている無線モジュールを特定するモジュール特定部４３１と、メモリ２０３に記憶されている動作周波数のうち、当該動作周波数を整数倍しても、特定された無線モジュールの通信周波数帯に含まれない動作周波数を特定する周波数特定部４３３と、特定された動作周波数と対応付けられた表示タイミング情報を用いて、ＬＣＤパネル１０３の表示制御を行うディスプレイドライバ４０３と、を備える。【選択図】        図４
2010141538.tif 000002
【特許請求の範囲】
【請求項１】
通信周波数帯が異なる複数の無線通信手段と、
表示手段を表示制御する動作周波数と、当該動作周波数で前記表示手段を表示制御するための設定情報と、を対応付けて記憶する記憶手段と、
前記複数の無線通信手段のうち、通信を行っている前記無線通信手段を特定する通信特定手段と、
前記記憶手段に記憶されている前記動作周波数のうち、当該動作周波数を整数倍しても、前記通信特定手段により特定された前記無線通信手段の前記通信周波数帯に含まれない前記動作周波数を特定する周波数特定手段と、
前記周波数特定手段で特定された前記動作周波数と対応付けられた前記設定情報を用いて、前記表示手段の表示制御を行う制御手段と、
を備えることを特徴とする電子機器。
【請求項２】
前記表示手段に表示可能な解像度を特定する表示特定手段を、さらに備え、
前記記憶手段は、さらに前記表示手段を表示する解像度を対応付けて記憶し、
前記周波数特定手段は、特定された前記解像度と対応付けられた前記動作周波数のうち、当該周波数周波数を整数倍しても、取得した前記通信周波数帯に含まれない前記動作周波数を特定し、
前記制御手段は、さらに、特定された前記解像度で前記表示手段の表示制御を行うこと、
を特徴とする請求項１に記載の電子機器。
【請求項３】
前記記憶手段に記憶された、所定の解像度と対応付けられた第１の動作周波数は、整数倍しても、一方の無線通信手段の通信周波数帯に含まれない動作周波数であり、当該所定の解像度と対応付けられた第２の動作周波数は、整数倍しても、他方の無線通信手段の通信周波数帯に含まれない動作周波数であること、
を特徴とする請求項２に記載の電子機器。
【請求項４】
前記記憶手段に記憶された、前記第１の動作周波数と対応付けられた前記設定情報と、前記第２の動作周波数と対応付けられた前記設定情報と、の間で、水平ブランキング期間、及び水平ブランキング期間のうちいずれか一つ以上が異なっていること、
を特徴とする請求項３に記載の電子機器。
【請求項５】
前記記憶手段が記憶する前記設定情報に含まれる垂直周波数は全て５９．９Hzより大きい値であることを特徴とする請求項１乃至４のいずれか一つに記載の電子機器。
【請求項６】
前記記憶手段に記憶された前記設定情報として、水平周波数、水平有効期間、水平ブランキング期間、垂直周波数、水平有効期間、及び水平ブランキング期間のうちいずれか一つ以上が含まれていること、
を特徴とする請求項１乃至５のいずれか一つに記載の電子機器。
【請求項７】
電子機器で実行される表示制御方法であって、
前記電子機器が、表示手段を表示制御する動作周波数と、当該動作周波数で前記表示手段を表示制御するための設定情報と、を対応付けて記憶する記憶手段を備え、
通信周波数帯が異なる複数の無線通信手段のうち、通信を行っている前記無線通信手段を特定する通信特定ステップと、
前記記憶手段に記憶されている前記動作周波数のうち、当該動作周波数を整数倍しても、前記通信特定ステップにより特定された前記無線通信手段の前記通信周波数帯に含まれない前記動作周波数を特定する周波数特定ステップと、
前記周波数特定ステップで特定された前記動作周波数と対応付けられた前記設定情報を用いて、前記表示手段の表示制御を行う制御ステップと、
を有することを特徴とする表示制御方法。
【請求項８】
前記表示手段に表示可能な解像度を特定する表示特定ステップを、さらに有し、
前記記憶手段は、さらに前記表示手段を表示する解像度を対応付けて記憶し、
前記周波数特定ステップは、特定された前記解像度と対応付けられた前記動作周波数のうち、当該周波数周波数を整数倍しても、取得した前記通信周波数帯に含まれない前記動作周波数を特定し、
前記制御ステップは、さらに、特定された前記解像度で前記表示手段の表示制御を行うこと、
を特徴とする請求項７に記載の表示制御方法。
【請求項９】
前記記憶手段が記憶する前記設定情報に含まれる垂直周波数は全て５９．９Hzより大きい値であることを特徴とする請求項７又は８に記載の表示制御方法。
【発明の詳細な説明】
【技術分野】
【０００１】
本発明は、無線通信中に、干渉しないように表示手段の表示制御を行う電子機器、及び表示制御方法に関するものである。
【背景技術】
【０００２】
従来から、ノート型のパーソナルコンピュータ（以下、ノートＰＣとする）等を含むコンピュータでは、外部ネットワークに接続し、データ通信が行われていた。
【０００３】
そして、ノートＰＣは、携帯可能なため様々な場所で利用されている。この際、いちいち有線ネットワークに接続するのは煩雑なため、無線ネットワークを用いられる傾向が高い。しかしながら、場所によって利用可能な無線通信の規格が異なる場合も多い。そこで、様々な場所で通信を可能にするために、ノートＰＣには複数種類の無線モジュールを搭載されている場合が多い。
【０００４】
この場合、特にノートＰＣ内部の機器の動作周波数帯と、無線通信周波数帯とが干渉が発生し、無線通信で接続しにくい状況が生じる場合がある。このため、無線モジュールと、他の電子機器との間で、周波数が干渉しないように設計する技術が提案されている。
【０００５】
例えば、特許文献１に記載された技術では、複数の無線モジュールが装着されることを想定し、無線通信周波数帯と干渉しないよう、ＣＰＵの動作周波数を変更させる技術が提案されている。そして、ＣＰＵの動作周波数を変更させることで、ＣＰＵの動作周波数が、無線モジュールの無線通信周波数帯と干渉しないため、無線通信が可能となる。
【０００６】
【特許文献１】特開２００２−２９０２６１号公報
【発明の開示】
【発明が解決しようとする課題】
【０００７】
しかしながら、ノートＰＣ等の電子機器では、ＣＰＵ以外に周波数を発生させる様々な機器を具備している。このような機器としてはＬＣＤパネル（表示手段）が存在する。ＬＣＤパネル（表示手段）で表示制御を行うためには解像度や垂直周波数等のパラメータに制限があるため、この特許文献１に記載された技術を適用することはできない。
【０００８】
本発明は、上記に鑑みてなされたものであって、無線モジュールの無線通信周波数帯に干渉しないように表示手段の表示制御を行う電子機器、及び表示制御方法を提供することを目的とする。
【課題を解決するための手段】
【０００９】
上述した課題を解決し、目的を達成するために、本発明にかかる電子機器は、通信周波数帯が異なる複数の無線通信手段と、表示手段を表示制御する動作周波数と、当該動作周波数で前記表示手段を表示制御するための設定情報と、を対応付けて記憶する記憶手段と、前記複数の無線通信手段のうち、通信を行っている前記無線通信手段を特定する通信特定手段と、前記記憶手段に記憶されている前記動作周波数のうち、当該動作周波数を整数倍しても、前記通信特定手段により特定された前記無線通信手段の前記通信周波数帯に含まれない前記動作周波数を特定する周波数特定手段と、前記周波数特定手段で特定された前記動作周波数と対応付けられた前記設定情報を用いて、前記表示手段の表示制御を行う制御手段と、を備えることを特徴とする。
【００１０】
また、本発明にかかる表示制御方法は、電子機器で実行される表示制御方法であって、前記電子機器が、表示手段を表示制御する動作周波数と、当該動作周波数で前記表示手段を表示制御するための設定情報と、を対応付けて記憶する記憶手段を備え、通信周波数帯が異なる複数の無線通信手段のうち、通信を行っている前記無線通信手段を特定する通信特定ステップと、前記記憶手段に記憶されている前記動作周波数のうち、当該動作周波数を整数倍しても、前記通信特定ステップにより特定された前記無線通信手段の前記通信周波数帯に含まれない前記動作周波数を特定する周波数特定ステップと、前記周波数特定ステップで特定された前記動作周波数と対応付けられた前記設定情報を用いて、前記表示手段の表示制御を行う制御ステップと、を有することを特徴とする。
【発明の効果】
【００１１】
本発明によれば、動作周波数と、無線通信手段の通信周波数帯との干渉の影響を低減し、通信感度を向上させることが可能という効果を奏する。
【発明を実施するための最良の形態】
【００１２】
以下に添付図面を参照して、この発明にかかる電子機器、及び表示制御方法を適用したノート型のパーソナルコンピュータ（以下、ノートＰＣとする）の最良な実施の形態を詳細に説明する。なお、電子機器は、ノートＰＣに制限するものではなく、さまざまな装置に適用することができるものとする。
【００１３】
（第１の実施の形態）
本実施の形態にかかるノートＰＣ１００は、図１に示すように、表示部１０１と、本体１０２と、で構成される。表示部１０１は、表示制御の対象となるＬＣＤパネル１０３（液晶ディスプレイ）であり、ＬＣＤパネル１０３の上部に第１の無線通信用の第１のアンテナ装置１０４と、第２の無線通信用の第２のアンテナ装置１０５、を有する。また、表示部１０１と本体１０２は、ヒンジ部１０６によって開閉自在に構成される。
【００１４】
本体１０２は、第１のアンテナ装置１０４を介して無線電波を送受信するために送信信号に応じた高周波信号を発生する給電回路としての第１の無線モジュール１０７を有している。さらに、本体１０２は、第２のアンテナ装置１０５を介して無線電波を送受信するために送信信号に応じた高周波信号を発生する給電回路としての第２の無線モジュール１０８を有している。
【００１５】
ＬＣＤパネル１０３は、ＧＰＵ２０５から入力される表示信号（ＬＶＤＳ信号）に従い表示を行い、また表示信号のピクセルクロック（動作周波数）で内部回路を駆動している。
【００１６】
第１の無線モジュール１０７及び第２の無線モジュール１０８は、互いに異なる通信周波数帯で通信を行う無線モジュールとする。例えば、第１の無線モジュール１０７が、ＧＰＳに接続する通信モジュールであり、第２の無線モジュール１０８が、無線ＬＡＮで接続する通信モジュールである等が考えられる。なお、ＧＰＳや無線ＬＡＮに制限するものではなく、例えばBluetooth（登録商標）や３Ｇ等であっても良い。
【００１７】
また、第１の無線モジュール１０７は、給電線１０９を介してアンテナ装置１０４と接続されている。また、第２の無線モジュール１０８は、給電線１１０を介してアンテナ装置１０５と接続されている。なお、給電線１０９及び給電線１１０は、直径１ｍｍ程度の同軸ケーブルである。
【００１８】
上述したように第１のアンテナ装置１０４、及び第２のアンテナ装置１０５は、ノートＰＣ１００の表示部１０１の、ＬＣＤパネル１０３に近い箇所に格納されている。このため、第１のアンテナ装置１０４又は第２のアンテナ装置１０５の通信に用いる通信周波数帯に、ＬＣＤパネル１０３の動作周波数の高調波が含まれる場合、干渉が生じることになる。つまり、各無線通信モジュールの通信感度がＬＣＤパネル１０３の動作周波数の影響を受けやすいという問題が生じる。
【００１９】
また、無線通信で用いられる通信周波数帯は、規格等により予め定められている。このように、無線通信の通信周波数帯が変更できない以上、干渉が生じないようにするためには、ＬＣＤパネル１０３の動作周波数の高調波が、無線通信の通信周波数帯に含まれないように、ＬＣＤパネル１０３の動作周波数を調整すればよい。なお、高調波とは、整数倍の高次の周波数成分とする。
【００２０】
さらに、ＬＣＤパネル１０３の動作周波数は、動画の再生等を行うためには、動作周波数に制限がある。これは、ＶＥＳＡ等の表示タイミング規定で決められていることと及び動画コンテンツの再生では６０Hzを想定しており、それ以外のリフレッシュレートではコマ落ち等により再生品質が劣化することによる。
【００２１】
そこで、本実施の形態にかかるノートＰＣ１００では、ＬＣＤパネル１０３の動作周波数と、当該動作周波数で表示制御を行うための設定情報が含まれる表示タイミングとを対応付けたＥＤＩＤデータ（表示タイミング情報）を複数備え、動作している無線モジュールに応じて、表示信号の高調波が無線受信に干渉しない表示タイミング情報を選択的に使用することで、この干渉の影響を低減させ良好な通信感度を得られるようにする。また、当然ながら、この表示タイミング情報では、垂直周波数（リフレッシュレート）には、上述した規程を満たすような値が設定されているものとする。
【００２２】
まずは、本実施の形態にかかるノートＰＣ１００のハードウェア構成について説明する。図２に示すように、ノートＰＣ１００は、ＣＰＵ２０１、メモリコントローラハブ（ＭＣＨ）２０２、メモリ２０３、Ｉ／Ｏコントローラハブ（ＩＣＨ）２０４、グラフィクスコントローラ（ＧＰＵ）２０５、ＢＩＯＳ−ＲＯＭ２０６、ＨＤＤ２０７、ＬＣＤパネル１０３、第１の無線モジュール１０７、第１のアンテナ装置１０４、第２の無線モジュール１０８、及び第２のアンテナ装置１０５を有している。なお、図示していないが、ＩＣＨ２０４は、ＯＤＤなどの様々な装置と接続されている。
【００２３】
ＣＰＵ２０１はノートＰＣ１００の動作を制御するプロセッサであり、ＨＤＤ２０７からメモリ２０３にロードされるオペレーティングシステム（ＯＳ）を実行する。また、ＣＰＵ２０１は、ＢＩＯＳ−ＲＯＭ２０６に格納されたシステムＢＩＯＳ（Basic  Input  Output  System）も実行する。また、システムＢＩＯＳはハードウェア制御のためのプログラムである。
【００２４】
また、ＢＩＯＳ−ＲＯＭ２０６は、システムＢＩＯＳの他に、ＬＣＤパネル１０３の表示制御を行うための複数のＥＤＩＤ(Extended  Display  Identification  Data)データ２２１を格納する。これらＥＤＩＤデータは、必要に応じてメモリ２０３上に展開される。なお、ＥＤＩＤデータには、ＬＣＤパネル１０３に対応しているディスプレイ・モードが記述されている。
【００２５】
メモリコントローラハブ（ＭＣＨ）２０２は、ＣＰＵ２０１のローカルバスとＩＣＨ２０４との間を接続するブリッジデバイスである。ＭＣＨ２０２には、メモリ２０３をアクセス制御するメモリコントローラも内蔵されている。また、ＭＣＨ２０２は、ＡＧＰ（Accelerated  Graphics  Port）バス、PCI  express規格のシリアルバスなどを介してグラフィクスコントローラ２０５との通信を実行する機能も有している。
【００２６】
グラフィクスコントローラ２０５は、ＬＣＤパネル１０３を制御する表示コントローラである。また、グラフィクスコントローラ２０５は本ノートＰＣ１００のディスプレイモニタとして使用されるＬＣＤパネル１０３を制御する表示コントローラである。このグラフィクスコントローラ２０５は、ＯＳまたはアプリケーションプログラムによって生成された表示情報となる表示信号をＬＣＤパネル１０３に転送する。
【００２７】
グラフィクスコントローラ２０５は、ＬＶＤＳ  Ｔｘ２３１を内蔵している。そして、ＬＶＤＳ＿Ｔｘ２３１(Low  voltage  differential  signaling  transmitter）は、ＰＬＬ回路２３２と、表示タイミング制御回路２３３とを備え、ＬＣＤパネル１０３に対する表示信号を生成する。
【００２８】
ＰＬＬ回路２３２は、任意のピクセルクロック（動作周波数）を生成できる。例えば、ＰＬＬ回路が６８．５MHzで動けば、ＬＶＤＳ＿Ｔｘ２３１は、６８．５MHzでＬＣＤパネル１０３に信号を出力する。また、ＰＬＬ回路２３２は、動作周波数の変更が要求された場合に、ＬＸＤＳ＿Ｔｘ２３１が動作する周波数を切り換えることができる。
【００２９】
表示タイミング制御回路２３３は、後述するディスプレイドライバ４０３が指示する表示タイミング情報に従い、表示信号を生成する。なお、表示タイミング情報は、ＥＤＩＤデータ２２１としてＢＩＯＳ−ＲＯＭ２０６に予め複数用意されているものとする。
【００３０】
メモリ２０３は、ノートＰＣ１００が起動した後、クロック制御ユーティリティ２１１と、表示タイミング情報２１２と、通信周波数情報テーブル２１３とを保持する。クロック制御ユーティリティ２１１及び通信周波数情報テーブル２１３は、ＯＳが実行された後、ＨＤＤ２０７から読み込まれ、メモリ２０３に展開された情報とする。表示タイミング情報２１２は、ＢＩＯＳ―ＲＯＭ２０６のＥＤＩＤデータ２２１から読み込まれ、メモリ２０３に展開された情報とする。
【００３１】
Ｉ／Ｏコントローラハブ（ＩＣＨ）２０４は、ＬＰＣ（Low  Pin  Count）バス上の各デバイス、ＰＣＩ（Peripheral  Component  Interconnect）バスに接続されている各デバイスを制御する。また、ＩＣＨ２０４は、ＨＤＤ２０７を制御するためのＩＤＥ（Integrated  Drive  Electronics）コントローラを内蔵している。
【００３２】
また、第１の無線モジュール１０７及び第２の無線モジュール１０８は、無線通信を行うモジュールとする。図３は、第１の無線モジュール１０７及び第２の無線モジュール１０８の通信周波数帯を保持する周波数帯管理テーブルを示した説明図である。図３に示すように、第１の無線モジュール１０７は、１５７５．４２Ｍｈｚを基準に幅（±）５Ｍｈｚの通信周波数帯を使用する。また、第２の無線モジュール１０８は、２４１２Ｍｈｚを基準に幅（±）２０Ｍｈｚの通信周波数帯を使用する。これら通信周波数帯にＬＣＤパネル１０３の動作周波数の高調波が干渉すると、通信感度が低下する。そこで、干渉しないように動作周波数を切り換えるソフトウェア構成について説明する。
【００３３】
図４は、ノートＰＣ１００のソフトウェア構成を示すブロック図である。図４に示すように、第１の無線モジュール１０７、第２の無線モジュール１０８、及びＬＣＤパネル１０３などのハードウェアデバイスを制御するシステムＢＩＯＳ４０１と、ＯＳ４０２と、ディスプレイドライバ４０３と、クロック制御ユーティリティ２１１と、で構成される。
【００３４】
システムＢＩＯＳ４０１は、第１の無線通信検出部４１１と、第２の無線通信検出部４１２と、複数のＥＤＩＤデータ２２１とを備え、ＯＳ４０２等のソフトウェアの指示に従ってハードウェアを制御する。
【００３５】
第１の無線通信検出部４１１は、第１の無線モジュール１０７が無線通信を行っているか否かを検出する。そして、第１の無線通信検出部４１１は、検出結果をクロック制御ユーティリティ２１１のモジュール特定部４３１に出力する。
【００３６】
第２の無線通信検出部４１２は、第２の無線モジュール１０８が無線通信を行っているか否かを検出する。そして、第２の無線通信検出部４１２は、検出結果をクロック制御ユーティリティ２１１のモジュール特定部４３１に出力する。
【００３７】
複数のＥＤＩＤデータ２２１は、無線通信の状況に応じて切り換えるための複数のＥＤＩＤデータとする。
【００３８】
ＯＳ４０２は、ソフトウェア（例えば、クロック制御ユーティリティ２１１及びディスプレイドライバ４０３）の実行と、実行されたソフトウェアにハードウェア資源の提供と、を行う。
【００３９】
クロック制御ユーティリティ２１１は、モジュール特定部４３１と、表示特定部４３２と、周波数特定部４３３と、通信周波数情報テーブル２１３と、切替制御部４３４とを備え、無線通信の状況に応じて、ＬＣＤパネル１０３の動作周波数を制御するユーティリティとする。
【００４０】
通信周波数情報テーブル２１３は、解像度毎に、動作周波数（ピクセルクロック）と、各無線通信で使用される通信周波数帯に近い高調波とを対応付けて保持する。図５は、通信周波数情報テーブル２１３のテーブル構造を示した図である。図５に示すように、解像度毎に、水平ピクセル数（Ｈ  Ｔｏｔａｌ）、垂直ピクセル数（Ｖ  Ｔｏｔａｌ）、動作周波数（ＰＣＬＫ（MHz））、第１無線用データ、及び第２無線用データを対応付けて記憶する。
【００４１】
図５に示す、水平ピクセル数（Ｈ  Ｔｏｔａｌ）は、各解像度の水平方向のピクセル数とする。垂直ピクセル数（Ｖ  Ｔｏｔａｌ）は、各解像度の垂直方向のピクセル数とする。ピクセルクロック（ＰＣＬＫ（MHz））は、各解像度で表示制御を行うための動作周波数とする。
【００４２】
図５に示す、第１無線用データは、各解像度の“高調波（倍）”と、“周波数”と、“フラグ”とを保持する。第１無線用データの“高調波”は、第１無線通信の周波数帯に含ませる又は最も近似させるために、動作周波数に乗じさせる倍数を保持する。第１無線用データの“周波数”は、動作周波数に“高調波（倍数）”に乗じさせた周波数を保持する。また、“フラグ”は、第１の無線モジュール１０７の通信周波数帯に含まれている（干渉する）か否かを示している。つまり、第１の無線モジュール１０７と干渉しない動作周波数を選択するためには、第１無線用データの“フラグ”が“○”のレコードの動作周波数を選択すればよい。
【００４３】
図５に示す、第２無線用データは、各解像度の“高調波（倍）”と、“周波数”と、“フラグ”とを保持する。第２無線用データの“高調波”は、第２無線通信の周波数帯に含ませる又は最も近似させるために、動作周波数に乗じさせる倍数を保持する。第２無線用データの“周波数”は、動作周波数に“高調波（倍数）”に乗じさせた周波数を保持する。また、“フラグ”は、第２の無線モジュール１０８の通信周波数帯に含まれている（干渉する）か否かを示している。つまり、第２の無線モジュール１０８と干渉しない動作周波数を選択するためには、第２無線用データの“フラグ”が“○”のレコードの動作周波数を選択すればよい。
【００４４】
図５に示す例のうち、ＬＣＤパネル１０３の解像度がＷＳＸＧＡ＋（１６８０×１０５）の場合、ＰＣＬＫの高調波は、第１の無線モジュール１０７及び第２の無線モジュール１０８のどちらにも高調波は干渉しない。このため、動作周波数が、５９．５０MHzで問題ない。
【００４５】
他の例としては、ＬＣＤパネル１０３の解像度がＷＵＸＧＡ（１９２０×１２００）の場合、ＷＵＸＧＡ(a)のタイミングでは第２の無線モジュール１０８に干渉する可能性があるが、ＷＵＸＧＡ(ｂ)のタイミングでは、第１の無線モジュール１０７及び第２の無線モジュール１０８のいずれにも干渉しない。そこで、通常は、ＷＵＸＧＡ(ｂ)のタイミングを用いればよい。
【００４６】
他の例としては、ＬＣＤパネル１０３の解像度がＷＸＧＡ（１２８０×８００）の場合、ＷＸＧＡ(ａ)のタイミングでは第２の無線モジュール１０８と干渉する可能性がある。またＷＸＧＡ(ｂ)のタイミングでは第１の無線モジュール１０７と干渉する可能性がある。このため、ＷＸＧＡ(ａ)の第１の無線用データの“フラグ”のみ“○”として、第１の無線モジュール１０７を使用する場合に限りＷＸＧＡ(ａ)のタイミングを利用するように設定した。一方、ＷＸＧＡ(ｂ)の第２の無線用データの“フラグ”のみ“○”として、第２の無線モジュール１０８を使用する場合に限りＷＸＧＡ(ｂ)のタイミングを利用するように設定した。
【００４７】
さらに、ノートＰＣ１００に無線モジュールが３種以上存在する場合でも、無線モジュール毎の上述したような表示タイミングを設定し、選択的に使用することで、無線周波数との干渉を避けることができる。
【００４８】
モジュール特定部４３１は、複数の無線モジュールのうち、現在通信を行っている無線モジュールを特定する。本実施の形態にかかるモジュール特定部４３１は、第１の無線通信検出部４１１からの検出結果、及び第２の無線通信検出部４１２からの検出結果から、現在通信を行っている無線モジュールを特定する。そして、モジュール特定部４３１が特定した現在通信を行っている無線モジュールを識別する情報は、周波数特定部４３３に出力される。
【００４９】
表示特定部４３２は、ＬＣＤパネル１０３に表示可能な解像度を特定する。また、ユーザ又はＯＳ４０２から解像度の変更指示を受け付けた場合、表示特定部４３２は、解像度の変更を行う。
【００５０】
周波数特定部４３３は、通信周波数情報テーブルに記憶されている動作周波数のうち、当該動作周波数を整数倍しても、モジュール特定部４３１により特定された無線モジュールの通信周波数帯に含まれない動作周波数を特定する。この際に、周波数特定部４３３は、特定する動作周波数として、表示特定部４３２により特定された解像度と、通信周波数情報テーブル２１３で対応付けられている動作周波数を特定する。
【００５１】
つまり、本実施の形態にかかる周波数特定部４３３は、通信周波数情報テーブル２１３で、表示特定部４３２により特定された解像度のレコードのうち、モジュール特定部４３１により特定された無線モジュールの“フラグ”が“○”のレコードのピクセルクロック“ＰＣＬＫ（MHz）”を、動作周波数として特定する。
【００５２】
図４に戻り、切替制御部４３４は、周波数特定部４３３により特定された動作周波数と、表示特定部４３２により特定された解像度と、でＬＣＤパネル１０３の表示制御を行うように、ディスプレイドライバ４０３に対して切替指示を行う。
【００５３】
ディスプレイドライバ４０３は、ＥＤＩＤデータ読込部４２１を備え、切替制御部４３４から切替指示された解像度と動作周波数とを用いて表示するようにＬＣＤパネル１０３を制御する。このために、ディスプレイドライバ４０３は、解像度及び動作周波数（ピクセルクロック）が一致する表示タイミング情報で動作するように、図２の表示タイミング制御回路２３３を指示する。
【００５４】
ＥＤＩＤデータ読込部４２１は、切替指示された解像度と動作周波数（ピクセルクロック）とで、表示制御を行うために必要な、ＥＤＩＤデータをシステムＢＩＯＳ４０１から読み込む。そして、読み込んだＥＤＩＤデータを、表示タイミング情報２１２としてメモリ２０３に展開する。
【００５５】
図６及び図７は、表示タイミング情報の例を示した図である。図６及び図７に示すように、表示タイミング情報は、“Ｐｉｘｅｌ  ｃｌｏｃｋ”と、“Ｈ  Ａｃｔｉｖｅ”と、“Ｈ  Ｂｌａｎｋｉｎｇ”と、“ｆＨ”と、“Ｖ  Ａｃｔｉｖｅ”と、“Ｖ  Ｂｌａｎｋｉｎｇ”と、“ｆＶ”と、“Ｈ  Ｓｙｎｃ  Ｏｆｆｓｅｔ”と、“Ｈ  Ｓｙｎｃ  Ｐｕｌｓｅ  ｗｉｄｔｈ”と、“Ｖ  Ｓｙｎｃ  Ｏｆｆｓｅｔ”と、“Ｖ  Ｓｙｎｃ  Ｐｕｌｓｅ  ｗｉｄｔｈ”と、を対応付けて保持している。換言すれば、表示タイミング情報は、動作周波数“Ｐｉｘｅｌ  ｃｌｏｃｋ”と、当該表示信号で表示制御を行うための設定情報と、を対応付けて記憶していることになる。
【００５６】
図６に示す表示タイミングは、ＷＸＧＡ(ａ)の表示タイミングを示している。この表示タイミングは、この解像度のＬＣＤパネル１０３にとってデファクトスタンダードとなっており、標準的なタイミングである。これに対し、図７に示す表示タイミングは、高調波の干渉を避けるために、パラメータを調整したタイミングとする。
【００５７】
図６及び図７共に、解像度１２８０×８００の表示タイミング情報であるが、動作周波数“Ｐｉｘｅｌ  ｃｌｏｃｋ”のほか、いくかのパラメータが異なる。異なるパラメータは、“Ｈ  Ｂｌａｎｋｉｎｇ”、“ｆＨ”、“Ｖ  Ｂｌａｎｋｉｎｇ”、及び“ｆＶ”とする。
【００５８】
動作周波数を示す“Ｐｉｘｅｌ  ｃｌｏｃｋ（ピクセルクロック）”は、一秒間に描画されるピクセル数とする。例えば、ピクセルクロックが、６８．９MHzであれば、一秒間に680900000個のピクセルを描画できる。
【００５９】
“Ｈ  Ａｃｔｉｖｅ（水平有効期間）”は、水平１ライン分の映像を描画する期間（ピクセル数）を示している。“Ｈ  Ｂｌａｎｋｉｎｇ（水平ブランキング期間）”は、水平１ライン分におけるブランキング（表示処理を行わない）期間（ピクセル数）を示している。
【００６０】
“ｆＨ（水平周波数）”は、一秒間に描画される（水平）ライン数とする。
【００６１】
具体的には、以下に示す式（１）が成り立つ。
ｆＨ  ＝  Ｐｅｘｅｌ  ｃｌｏｃｋ  ÷  （Ｈ  Ａｃｔｉｖｅ  ＋  Ｈ  Ｂｌａｎｋｉｎｇ）  ……  （１）
【００６２】
“Ｖ  Ａｃｔｉｖｅ（垂直有効期間）”は、（垂直）１画面分の映像を描画する期間（（水平）ライン数）を示している。“Ｈ  Ｂｌａｎｋｉｎｇ（垂直ブランキング期間）”は、（垂直）１画面分におけるブランキング（表示処理を行わない）期間（（水平）ライン数）を示している。
【００６３】
“ｆＶ（垂直周波数）”は、一秒間に描画される画面数とする。
【００６４】
具体的には、以下に示す式（２）が成り立つ。
ｆＶ  ＝  ｆＨ  ÷  （Ｖ  Ａｃｔｉｖｅ  ＋  Ｖ  Ｂｌａｎｋｉｎｇ）  ……  （２）
【００６５】
ところで、従来の技術に乗っ取って、高調波による干渉を避けるために、単純にピクセルクロック周波数を６８．３５(=６８．４)MHzに設定した場合、動作周波数（リフレッシュレート）は５９．５３Hzになる。
【００６６】
これに対し、ＤＶＤ、ＴＶ等の動画コンテンツは６０Hzのリフレッシュレートを想定しており、リフレッシュレートが低下した場合、コマ落ちが発生する。この例では1秒間に０．４７約２秒に１回のコマ落ちが発生することになり、映像品質の劣化につながる。このため、リフレッシュレートは５９．９Hzから６０．１Hz程度の範囲内に収めることが望ましい。
【００６７】
さらに、ＰＣ上で動作するゲームでは６０Hz以上の周波数を要求することが多い。このため、リフレッシュレート（ｆＶ（垂直周波数））は、５９．９Hz以上であることが好ましい。
【００６８】
つまり、“ｆＶ（垂直周波数）”が、上述した値を取るように設定した上で、動作周波数“Ｐｉｘｅｌ  ｃｌｏｃｋ”の高調波が、現在通信が行われている無線モジュールの通信周波数帯に含まれないように制御する必要がある。その上で、式（１）及び式（２）の関係を満たす必要がある。しかしながら、式（１）及び式（２）で示したパラメータのうち、変更できないパラメータも存在する。
【００６９】
そこで、変更可能なパラメータについて説明する。まずは、“Ｈ  Ａｃｔｉｖｅ（水平有効期間）”と、“Ｈ  Ｂｌａｎｋｉｎｇ（水平ブランキング期間）”と、“Ｖ  Ａｃｔｉｖｅ（垂直有効期間）”、及び“Ｖ  Ｂｌａｎｋｉｎｇ（垂直ブランキング期間）”の関係について説明する。図８は、これらパラメータの概念を示した図である。図８に示すように、水平有効期間８０１は、ＬＣＤパネル１０３の１水平ラインを描画するための期間（ピクセル数）である。例えば、解像度が１２８０×８００の場合、水平有効期間８０１は、１２８０ピクセルに固定され、当該期間を変更することはできない。これに対し、水平ブランキング期間８０２は、次の水平ラインを描画するために準備を行う期間であり、当該期間は必要に応じてある程度変更できる。
【００７０】
また、垂直有効期間８０３は、ＬＣＤパネル１０３の一画面を描画するための期間（ライン数）である。例えば、解像度が１２８０×８００の場合、垂直有効期間８０３は、８００ラインに固定され、当該期間を変更することはできない。これに対し、垂直ブランキング期間８０４は、次の画面を描画するために準備を行う期間であり、当該期間は必要に応じてある程度変更できる。
【００７１】
図９は、水平ブランキング期間の調整の概念を表した説明図である。図９に示すように、本実施の形態では、動作周波数が、無線モジュールの周波数帯に含まれず、ｆＶ（垂直周波数）”が５９．９６Hz以上で６０Hz近傍の値となるように、水平ブランキング期間を調整している。なお、垂直ブランキング期間についても同様の調整を行うことができる。
【００７２】
これにより、本実施の形態では、水平ブランキング期間及び垂直ブランキング期間を調整することで、無線モジュール毎に、当該無線モジュールの通信周波数帯に高調波が含まれない動作周波数と、動画データ等の再生可能な垂直周波数と、が設定された表示タイミング情報を用意することを可能としている。
【００７３】
そして、本実施の形態では、第１の無線モジュール１０７及び第２の無線モジュール１０８のどちらで無線通信を行っても、干渉しないような表示制御を行う表示タイミング情報を、解像度毎に用意しておく。
【００７４】
この表示タイミング情報の作成する手法は、上述した手法で作成できるので説明を省略する。そして、作成した表示タイミング情報は、ＥＤＩＤデータとして、予めＢＩＯＳ−ＲＯＭ２０６に格納しておき、必要に応じてＥＤＩＤデータ読込部４２１が読み込み処理を行うものとする。
【００７５】
これにより、ユーザがどの解像度を指定しても、無線モジュールと干渉せずに、ＬＣＤパネル１０３の表示制御を行うことができる。
【００７６】
図６及び図７に戻り、“Ｈ  Ｓｙｎｃ  Ｏｆｆｓｅｔ（水平同期オフセット）”、“Ｈ  Ｓｙｎｃ  Ｐｕｌｓｅ  ｗｉｄｔｈ（水平同期パルス幅）”、“Ｖ  Ｓｙｎｃ  Ｏｆｆｓｅｔ（垂直同期オフセット）”、及び“Ｖ  Ｓｙｎｃ  Ｐｕｌｓｅ  ｗｉｄｔｈ（垂直水平同期パルス幅）”も、同様に表示制御を行うために用いられるパラメータである。
【００７７】
図４に戻り、ディスプレイドライバ４０３は、切替制御部４３４から入力された解像度と動作周波数（ピクセルクロック）とから、適用する表示タイミング情報を特定できる。そして、ディスプレイドライバ４０３は、特定した表示タイミング情報で表示制御を行うよう、表示タイミング制御回路２３３に指示することで、ＬＣＤパネル１０３の表示制御を行うことができる。これにより、ディスプレイドライバ４０３は、動画の再生やゲームを実行することが可能な垂直周波数であって、現在通信を行っている無線モジュールに干渉しない、動作周波数で表示信号を出力できる。
【００７８】
なお、本実施の形態においては、表示制御に用いる設定情報に含まれるパラメータとして、“Ｈ  Ａｃｔｉｖｅ”と、“Ｈ  Ｂｌａｎｋｉｎｇ”と、“ｆＨ”と、“Ｖ  Ａｃｔｉｖｅ”と、“Ｖ  Ｂｌａｎｋｉｎｇ”と、“ｆＶ”と、“Ｈ  Ｓｙｎｃ  Ｏｆｆｓｅｔ”と、“Ｈ  Ｓｙｎｃ  Ｐｕｌｓｅ  ｗｉｄｔｈ”と、“Ｖ  Ｓｙｎｃ  Ｏｆｆｓｅｔ”と、“Ｖ  Ｓｙｎｃ  Ｐｕｌｓｅ  ｗｉｄｔｈ”と、を適用した例について説明したが、これら以外のパラメータを、表示制御に用いる設定情報のパラメータとして適用しても良い。
【００７９】
次に、本実施の形態にかかるノートＰＣ１００のＬＣＤパネル１０３の表示制御の手順について説明する。図１０は、ノートＰＣ１００の上述した処理手順を示すフローチャートである。
【００８０】
まず、ノートＰＣ１００が起動した後、ＯＳ４０２、ディスプレイドライバ４０３、及びクロック制御ユーティリティ２１１がＣＰＵ２０１に読み込まれ、実行されたものとする。この際、通信周波数情報テーブル２１３もメモリ２０３に展開される。
【００８１】
そして、ディスプレイドライバ４０３のＥＤＩＤデータ読込部４２１が、ＥＤＩＤデータ２２１を読み込み、表示タイミング情報として、メモリ２０３上に展開する（ステップＳ１００１）。その後、ユーザがノートＰＣ１００を利用することで、無線通信が開始される。
【００８２】
そして、第１の無線通信検出部４１１及び第２の無線通信検出部４１２が、各無線モジュールを利用されているか否かを検出する（ステップＳ１００２）。
【００８３】
次に、モジュール特定部４３１が、第１の無線通信検出部４１１及び第２の無線通信検出部４１２から入力された検出結果から、現在通信を行っている無線モジュールを特定する（ステップＳ１００３）。
【００８４】
その後、表示特定部４３２は、ＬＣＤパネル１０３の解像度を特定する（ステップＳ１００４）。
【００８５】
そして、周波数特定部４３３は、ステップＳ１００３で特定された無線モジュールと、ステップＳ１００４で特定された解像度と、から、動作周波数（ＰＣＬＫ）を特定する（ステップＳ１００５）。本実施の形態にかかる周波数特定部４３３は、特定された解像度を表示制御する動作周波数であって、特定された無線モジュールの通信周波数帯に高調波が含まれないような動作周波数を特定する。
【００８６】
次に、切替制御部４３４が、特定された解像度及び特定された動作周波数による表示の切り換え要求を、ディスプレイドライバ４０３に対して行う（ステップＳ１００６）。
【００８７】
その後、ディスプレイドライバ４０３は、特定された解像度であって、要求された動作周波数で表示制御を行う表示タイミング情報を用いて、ＬＣＤパネル１０３の表示制御を行う（ステップＳ１００７）。なお、適切な表示タイミング情報がない場合には、再びＥＤＩＤデータ読込部４２１が、必要なＥＤＩＤデータを読み込むものとする。
【００８８】
その後、クロック制御ユーティリティ２１１が、ノートＰＣ１００の通信が終了したか否か判断する（ステップＳ１００８）。終了していないと判断した場合には（ステップＳ１００８：Ｙｅｓ）、再びステップＳ１００２から処理を行う。終了したと判断した場合には（ステップＳ１００８：Ｎｏ）、処理を終了する。
【００８９】
また、本実施の形態にかかる無線モジュールとして無線ＬＡＮとＧＰＳとの無線モジュールを格納した例について説明したがそれ以外の無線モジュールでもよく、例えばBluetooth(登録商標）やＷｉＦｉ等であっても良い。
【００９０】
また、ノートＰＣに格納される無線モジュールは、２つに制限するものではなく、三個以上であっても良い。この搭載する無線モジュールの数は、例えばＢＴＯ（Build  to  Order）オプション等でユーザが選択可能にしても良い。この場合、搭載される全ての無線モジュールの通信感度が好適になるように、表示タイミング情報を予め記憶しておけばよい。
【００９１】
本実施の形態にかかるノートＰＣ１００では、動作している無線モジュールの通信周波数帯にかぶらない、表示タイミングでＬＣＤパネル１０３の表示制御を行うことを可能としている。本実施の形態にかかるノートＰＣ１００では、このような表示制御を行うために、動作周波数（ピクセルクロック）と、各ブランキング期間とを、予め調整したＥＤＩＤデータ２２１をＢＩＯＳ−ＲＯＭ２０６に記憶することで、可能としている。
【００９２】
上述したように、ノートＰＣ１００のＬＣＤパネル１０３を制御する表示タイミングは、ピクセルクロックや解像度の違いによらず、表示リフレッシュレート（垂直周波数）がほぼ６０Hzになるよう調整されている。これにより、動画再生時のコマ落ちや、ゲームができないなど不都合を抑止できる。
【００９３】
上述したように、ノートＰＣ１００は、ＬＣＤパネル１０３に表示リフレッシュレート（垂直周波数）を６０Hzで表示制御した場合、上述した制御により、ＬＣＤパネル１０３に信号を出力する出力タイミングとピクセルクロックとの両方をずらしたタイミングとすることができるので、動作周波数と通信周波数の干渉の影響を低減させることができる。
【００９４】
本実施の形態にかかるノートＰＣ１００では、リフレッシュレートを６０Hzにしなければならないという内蔵ＬＣＤパネル１０３の制約があっても、その動作周波数をずらすことで、装備している無線モジュールの受信周波数との干渉の影響を低減し、無線モジュールの通信感度を向上させることが可能になる。
【００９５】
そこで、本実施の形態にかかるノートＰＣ１００では、従来技術のように単純にピクセルクロックをずらして干渉を減らすのではなく、上述したようにブランキング期間を調整して垂直周波数を９５．９Hz以上になるように調整した表示タイミングテーブルを装備することで、通信感度の向上と映像品質の劣化防止が可能となる。
【００９６】
本実施の形態にかかるノートＰＣ１００では、従来技術のように単純に動作周波数をずらして干渉を減らすのではなく、ＬＣＤパネル１０３固有の６０Hz付近というリフレッシュレートを維持しつつ、ピクセルクロック及びブランキング期間を調整した表示タイミング情報を保持することで、通信感度の向上と映像品質の劣化防止が可能となる。
【００９７】
本実施形態のノートＰＣ１００で実行される表示制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００９８】
また、本実施形態のノートＰＣ１００で実行される表示制御プログラムを、インターネット等のネットワークに接続されたコンピュータ上に格納し、ネットワーク経由でダウンロードさせることにより提供するように構成しても良い。また、本実施形態のノートＰＣ１００で実行される表示制御プログラムをインターネット等のネットワーク経由で提供または配布するように構成しても良い。
【００９９】
また、本実施形態のノートＰＣ１００で実行される表示制御プログラムを、ＲＯＭ等に予め組み込んで提供するように構成してもよい。
【０１００】
本実施の形態のノートＰＣ１００で実行される表示制御プログラムは、上述したクロック制御ユーティリティ（モジュール取得部、特定部、周波数特定部、切替制御部）、及びディスプレイドライバを含むモジュール構成となっており、実際のハードウェアとしてはＣＰＵ２０１が上記記憶媒体から表示制御プログラムを読み出して実行することにより上記各部がメモリ２０３上にロードされ、クロック制御ユーティリティ（モジュール取得部、特定部、周波数特定部、切替制御部）、及びディスプレイドライバがメモリ２０３上に生成されるようになっている。
【図面の簡単な説明】
【０１０１】
【図１】実施の形態にかかるノートＰＣの斜視図である。
【図２】実施の形態にかかるノートＰＣのハードウェア構成を示した図である。
【図３】第１の無線モジュール及び第２の無線モジュールの通信周波数帯を保持する周波数帯管理テーブルを示した説明図である。
【図４】ノートＰＣのソフトウェア構成を示すブロック図である。
【図５】通信周波数情報テーブルのテーブル構造を示した図である。
【図６】解像度をＷＸＧＡで表示する表示タイミング情報の第１の例を示した図である。
【図７】解像度をＷＸＧＡで表示する表示タイミング情報の第２の例を示した図である。
【図８】ＬＣＤパネルと、各有効期間及びブランキング期間の関係を概念で示した説明図である。
【図９】水平ブランキング期間の調整の概念を表した説明図である。
【図１０】ノートＰＣのＬＣＤパネルの表示制御の処理手順を示すフローチャートである。
【符号の説明】
【０１０２】
１００  ノートＰＣ
１０１  表示部
１０２  本体
１０３  ＬＣＤパネル
１０４  第１のアンテナ装置
１０５  第２のアンテナ装置
１０６  ヒンジ部
１０７  第１の無線モジュール
１０８  第２の無線モジュール
１０９、１１０  給電線
２０１  ＣＰＵ
２０２  ＭＣＨ
２０３  メモリ
２０４  ＩＣＨ
２０５  グラフィクスコントローラ
２０６  ＢＩＯＳ−ＲＯＭ
２０７  ＨＤＤ
２１１  クロック制御ユーティリティ
２１２  表示タイミング情報
２１３  通信周波数情報テーブル
２２１  ＥＤＩＤデータ
２３２  ＰＬＬ回路
２３３  表示タイミング制御回路
４０１  システムＢＩＯＳ
４０２  ＯＳ
４０３  ディスプレイドライバ
４１１  第１無線通信検出部
４１２  第２無線通信検出部
４２１  ＥＤＩＤデータ読込部
４３１  モジュール特定部
４３２  表示特定部
４３３  周波数特定部
４３４  切替制御部
【図１】
2010141538.tif 000003
【図２】
2010141538.tif 000004
【図３】
2010141538.tif 000005
【図４】
2010141538.tif 000006
【図５】
2010141538.tif 000007
【図６】
2010141538.tif 000008
【図７】
2010141538.tif 000009
【図８】
2010141538.tif 000010
【図９】
2010141538.tif 000011
【図１０】
2010141538.tif 000012
【手続補正書】
【提出日】平成21年12月22日(2009.12.22)
【手続補正１】
【補正対象書類名】特許請求の範囲
【補正対象項目名】全文
【補正方法】変更
【補正の内容】
【特許請求の範囲】
【請求項１】
表示制御の対象となる表示手段と、前記表示手段の近傍に配置された無線通信用の複数のアンテナ装置と、を有する表示部と、
前記複数のアンテナ装置を介して、互いに異なる通信周波数帯で通信を行う複数の無線通信手段と、前記表示手段を制御する表示コントローラと、を有する本体と、
前記表示部と前記本体とを開閉自在に構成するとともに、前記複数のアンテナ装置と前記複数の無線通信手段とを接続しかつ前記表示手段と前記表示コントローラとを接続するケーブルが配線されたヒンジ部と、
前記表示手段を表示制御する動作周波数と、当該動作周波数で前記表示手段を表示制御するための設定情報と、を対応付けて記憶する記憶手段と、
前記複数の無線通信手段のうち、通信を行っている前記無線通信手段を特定する通信特定手段と、
前記記憶手段に記憶されている前記動作周波数のうち、当該動作周波数を整数倍しても、前記通信特定手段により特定された前記無線通信手段の前記通信周波数帯に含まれない前記動作周波数を特定する周波数特定手段と、
前記周波数特定手段で特定された前記動作周波数と対応付けられた前記設定情報で表示制御を行うよう、前記表示コントローラに指示することで、前記表示手段の表示制御を行う制御手段と、
を備えることを特徴とする電子機器。
【請求項２】
前記表示手段に表示可能な解像度を特定する表示特定手段を、さらに備え、
前記記憶手段は、さらに前記表示手段を表示する解像度を対応付けて記憶し、
前記周波数特定手段は、特定された前記解像度と対応付けられた前記動作周波数のうち、当該周波数周波数を整数倍しても、取得した前記通信周波数帯に含まれない前記動作周波数を特定し、
前記制御手段は、さらに、特定された前記解像度で表示制御を行うよう、前記表示コントローラに指示することで、前記表示手段の表示制御を行うこと、
を特徴とする請求項１に記載の電子機器。
【請求項３】
前記記憶手段に記憶された、所定の解像度と対応付けられた第１の動作周波数は、整数倍しても、一方の無線通信手段の通信周波数帯に含まれない動作周波数であり、当該所定の解像度と対応付けられた第２の動作周波数は、整数倍しても、他方の無線通信手段の通信周波数帯に含まれない動作周波数であること、
を特徴とする請求項２に記載の電子機器。
【請求項４】
前記記憶手段に記憶された、前記第１の動作周波数と対応付けられた前記設定情報と、前記第２の動作周波数と対応付けられた前記設定情報と、の間で、水平ブランキング期間、及び水平ブランキング期間のうちいずれか一つ以上が異なっていること、
を特徴とする請求項３に記載の電子機器。
【請求項５】
前記記憶手段が記憶する前記設定情報に含まれる垂直周波数は全て５９．９Hzより大きい値であることを特徴とする請求項１乃至４のいずれか一つに記載の電子機器。
【請求項６】
前記記憶手段に記憶された前記設定情報として、水平周波数、水平有効期間、水平ブランキング期間、垂直周波数、水平有効期間、及び水平ブランキング期間のうちいずれか一つ以上が含まれていること、
を特徴とする請求項１乃至５のいずれか一つに記載の電子機器。
【請求項７】
電子機器で実行される表示制御方法であって、
前記電子機器が、
表示制御の対象となる表示手段と、前記表示手段の近傍に配置された無線通信用の複数のアンテナ装置と、を有する表示部と、
前記複数のアンテナ装置を介して、互いに異なる通信周波数帯で通信を行う複数の無線通信手段と、前記表示手段を制御する表示コントローラと、を有する本体と、
前記表示部と前記本体とを開閉自在に構成するとともに、前記複数のアンテナ装置と前記複数の無線通信手段とを接続しかつ前記表示手段と前記表示コントローラとを接続するケーブルが配線されたヒンジ部と、
前記表示手段を表示制御する動作周波数と、当該動作周波数で前記表示手段を表示制御するための設定情報と、を対応付けて記憶する記憶手段と、
を備え、
前記複数の無線通信手段のうち、通信を行っている前記無線通信手段を特定する通信特定ステップと、
前記記憶手段に記憶されている前記動作周波数のうち、当該動作周波数を整数倍しても、前記通信特定ステップにより特定された前記無線通信手段の前記通信周波数帯に含まれない前記動作周波数を特定する周波数特定ステップと、
前記周波数特定ステップで特定された前記動作周波数と対応付けられた前記設定情報で表示制御を行うよう、前記表示コントローラに指示することで、前記表示手段の表示制御を行う制御ステップと、
を有することを特徴とする表示制御方法。
【請求項８】
前記表示手段に表示可能な解像度を特定する表示特定ステップを、さらに有し、
前記記憶手段は、さらに前記表示手段を表示する解像度を対応付けて記憶し、
前記周波数特定ステップは、特定された前記解像度と対応付けられた前記動作周波数のうち、当該周波数周波数を整数倍しても、取得した前記通信周波数帯に含まれない前記動作周波数を特定し、
前記制御ステップは、さらに、特定された前記解像度で表示制御を行うよう、前記表示コントローラに指示することで、前記表示手段の表示制御を行うこと、
を特徴とする請求項７に記載の表示制御方法。
【請求項９】
前記記憶手段が記憶する前記設定情報に含まれる垂直周波数は全て５９．９Hzより大きい値であることを特徴とする請求項７又は８に記載の表示制御方法。
【手続補正２】
【補正対象書類名】明細書
【補正対象項目名】０００９
【補正方法】変更
【補正の内容】
【０００９】
上述した課題を解決し、目的を達成するために、本発明にかかる電子機器は、表示制御の対象となる表示手段と、前記表示手段の近傍に配置された無線通信用の複数のアンテナ装置と、を有する表示部と、前記複数のアンテナ装置を介して、互いに異なる通信周波数帯で通信を行う複数の無線通信手段と、前記表示手段を制御する表示コントローラと、を有する本体と、前記表示部と前記本体とを開閉自在に構成するとともに、前記複数のアンテナ装置と前記複数の無線通信手段とを接続しかつ前記表示手段と前記表示コントローラとを接続するケーブルが配線されたヒンジ部と、前記表示手段を表示制御する動作周波数と、当該動作周波数で前記表示手段を表示制御するための設定情報と、を対応付けて記憶する記憶手段と、前記複数の無線通信手段のうち、通信を行っている前記無線通信手段を特定する通信特定手段と、前記記憶手段に記憶されている前記動作周波数のうち、当該動作周波数を整数倍しても、前記通信特定手段により特定された前記無線通信手段の前記通信周波数帯に含まれない前記動作周波数を特定する周波数特定手段と、前記周波数特定手段で特定された前記動作周波数と対応付けられた前記設定情報で表示制御を行なうよう、前記表示コントローラに指示することで、前記表示手段の表示制御を行う制御手段と、を備えることを特徴とする。
【手続補正３】
【補正対象書類名】明細書
【補正対象項目名】００１０
【補正方法】変更
【補正の内容】
【００１０】
また、本発明にかかる表示制御方法は、電子機器で実行される表示制御方法であって、前記電子機器が、表示制御の対象となる表示手段と、前記表示手段の近傍に配置された無線通信用の複数のアンテナ装置と、を有する表示部と、前記複数のアンテナ装置を介して、互いに異なる通信周波数帯で通信を行う複数の無線通信手段と、前記表示手段を制御する表示コントローラと、を有する本体と、前記表示部と前記本体とを開閉自在に構成するとともに、前記複数のアンテナ装置と前記複数の無線通信手段とを接続しかつ前記表示手段と前記表示コントローラとを接続するケーブルが配線されたヒンジ部と、前記表示手段を表示制御する動作周波数と、当該動作周波数で前記表示手段を表示制御するための設定情報と、を対応付けて記憶する記憶手段と、を備え、前記複数の無線通信手段のうち、通信を行っている前記無線通信手段を特定する通信特定ステップと、前記記憶手段に記憶されている前記動作周波数のうち、当該動作周波数を整数倍しても、前記通信特定ステップにより特定された前記無線通信手段の前記通信周波数帯に含まれない前記動作周波数を特定する周波数特定ステップと、前記周波数特定ステップで特定された前記動作周波数と対応付けられた前記設定情報で表示制御を行うよう、前記表示コントローラに指示することで、前記表示手段の表示制御を行う制御ステップと、を有することを特徴とする。
【手続補正書】
【提出日】平成22年4月5日(2010.4.5)
【手続補正１】
【補正対象書類名】特許請求の範囲
【補正対象項目名】全文
【補正方法】変更
【補正の内容】
【特許請求の範囲】
【請求項１】
表示制御の対象となる表示手段と、前記表示手段の近傍に配置された無線通信用の複数のアンテナ装置と、を有する表示部と、
前記複数のアンテナ装置を介して、互いに異なる通信周波数帯で通信を行う複数の無線通信手段と、前記表示手段を制御する表示コントローラと、を有する本体と、
前記表示部と前記本体とを開閉自在に構成するとともに、前記複数のアンテナ装置と前記複数の無線通信手段とを接続しかつ前記表示手段と前記表示コントローラとを接続するケーブルが配線されたヒンジ部と、
前記表示手段を表示制御する動作周波数と、当該動作周波数で前記表示手段を表示制御するための情報であり、前記表示手段に表示する画面を１秒間に描画する回数である５９．９Hzより大きい値の垂直周波数および前記表示手段に表示する画面を描画するために準備を行う期間であり前記垂直周波数で画面を描画するために調整したブランキング期間を示す設定情報と、を対応付けて記憶する記憶手段と、
前記複数の無線通信手段のうち、通信を行っている前記無線通信手段を特定する通信特定手段と、
前記記憶手段に記憶されている前記動作周波数のうち、当該動作周波数を整数倍しても、前記通信特定手段により特定された前記無線通信手段の前記通信周波数帯に含まれない前記動作周波数を特定する周波数特定手段と、
前記周波数特定手段で特定された前記動作周波数と対応付けられた前記設定情報で表示制御を行うよう、前記表示コントローラに指示することで、前記設定情報が示すブランキング期間で前記表示手段に表示する画面を描画するための準備を行いかつ前記設定情報が示す垂直周波数で前記表示手段の表示制御を行う制御手段と、
を備えることを特徴とする電子機器。
【請求項２】
前記表示手段に表示可能な解像度を特定する表示特定手段を、さらに備え、
前記記憶手段は、さらに前記表示手段を表示する解像度を対応付けて記憶し、
前記周波数特定手段は、特定された前記解像度と対応付けられた前記動作周波数のうち、当該周波数周波数を整数倍しても、取得した前記通信周波数帯に含まれない前記動作周波数を特定し、
前記制御手段は、さらに、特定された前記解像度で表示制御を行うよう、前記表示コントローラに指示することで、前記表示手段の表示制御を行うこと、
を特徴とする請求項１に記載の電子機器。
【請求項３】
前記記憶手段に記憶された、所定の解像度と対応付けられた第１の動作周波数は、整数倍しても、一方の無線通信手段の通信周波数帯に含まれない動作周波数であり、当該所定の解像度と対応付けられた第２の動作周波数は、整数倍しても、他方の無線通信手段の通信周波数帯に含まれない動作周波数であること、
を特徴とする請求項２に記載の電子機器。
【請求項４】
前記記憶手段に記憶された、前記第１の動作周波数と対応付けられた前記設定情報と、前記第２の動作周波数と対応付けられた前記設定情報と、の間で、水平ブランキング期間、及び水平ブランキング期間のうちいずれか一つ以上が異なっていること、
を特徴とする請求項３に記載の電子機器。
【請求項５】
前記記憶手段に記憶された前記設定情報として、水平周波数、水平有効期間、水平ブランキング期間、垂直周波数、水平有効期間、及び水平ブランキング期間のうちいずれか一つ以上が含まれていること、
を特徴とする請求項１乃至４のいずれか一つに記載の電子機器。
【請求項６】
電子機器で実行される表示制御方法であって、
前記電子機器が、
表示制御の対象となる表示手段と、前記表示手段の近傍に配置された無線通信用の複数のアンテナ装置と、を有する表示部と、
前記複数のアンテナ装置を介して、互いに異なる通信周波数帯で通信を行う複数の無線通信手段と、前記表示手段を制御する表示コントローラと、を有する本体と、
前記表示部と前記本体とを開閉自在に構成するとともに、前記複数のアンテナ装置と前記複数の無線通信手段とを接続しかつ前記表示手段と前記表示コントローラとを接続するケーブルが配線されたヒンジ部と、
前記表示手段を表示制御する動作周波数と、当該動作周波数で前記表示手段を表示制御するための情報であり、前記表示手段に表示する画面を１秒間に描画する回数である５９．９Hzより大きい値の垂直周波数および前記表示手段に表示する画面を描画するために準備を行う期間であり前記垂直周波数で画面を描画するために調整したブランキング期間を示す設定情報と、を対応付けて記憶する記憶手段と、
を備え、
前記複数の無線通信手段のうち、通信を行っている前記無線通信手段を特定する通信特定ステップと、
前記記憶手段に記憶されている前記動作周波数のうち、当該動作周波数を整数倍しても、前記通信特定ステップにより特定された前記無線通信手段の前記通信周波数帯に含まれない前記動作周波数を特定する周波数特定ステップと、
前記周波数特定ステップで特定された前記動作周波数と対応付けられた前記設定情報で表示制御を行うよう、前記表示コントローラに指示することで、前記設定情報が示すブランキング期間で前記表示手段に表示する画面を描画するための準備を行いかつ前記設定情報が示す垂直周波数で前記表示手段の表示制御を行う制御ステップと、
を有することを特徴とする表示制御方法。
【請求項７】
前記表示手段に表示可能な解像度を特定する表示特定ステップを、さらに有し、
前記記憶手段は、さらに前記表示手段を表示する解像度を対応付けて記憶し、
前記周波数特定ステップは、特定された前記解像度と対応付けられた前記動作周波数のうち、当該周波数周波数を整数倍しても、取得した前記通信周波数帯に含まれない前記動作周波数を特定し、
前記制御ステップは、さらに、特定された前記解像度で表示制御を行うよう、前記表示コントローラに指示することで、前記表示手段の表示制御を行うこと、
を特徴とする請求項６に記載の表示制御方法。
【手続補正２】
【補正対象書類名】明細書
【補正対象項目名】０００９
【補正方法】変更
【補正の内容】
【０００９】
上述した課題を解決し、目的を達成するために、本発明にかかる電子機器は、表示制御の対象となる表示手段と、前記表示手段の近傍に配置された無線通信用の複数のアンテナ装置と、を有する表示部と、前記複数のアンテナ装置を介して、互いに異なる通信周波数帯で通信を行う複数の無線通信手段と、前記表示手段を制御する表示コントローラと、を有する本体と、前記表示部と前記本体とを開閉自在に構成するとともに、前記複数のアンテナ装置と前記複数の無線通信手段とを接続しかつ前記表示手段と前記表示コントローラとを接続するケーブルが配線されたヒンジ部と、前記表示手段を表示制御する動作周波数と、当該動作周波数で前記表示手段を表示制御するための情報であり、前記表示手段に表示する画面を１秒間に描画する回数である５９．９Hzより大きい値の垂直周波数および前記表示手段に表示する画面を描画するために準備を行う期間であり前記垂直周波数で画面を描画するために調整したブランキング期間を示す設定情報と、を対応付けて記憶する記憶手段と、前記複数の無線通信手段のうち、通信を行っている前記無線通信手段を特定する通信特定手段と、前記記憶手段に記憶されている前記動作周波数のうち、当該動作周波数を整数倍しても、前記通信特定手段により特定された前記無線通信手段の前記通信周波数帯に含まれない前記動作周波数を特定する周波数特定手段と、前記周波数特定手段で特定された前記動作周波数と対応付けられた前記設定情報で表示制御を行なうよう、前記表示コントローラに指示することで、前記設定情報が示すブランキング期間で前記表示手段に表示する画面を描画するための準備を行いかつ前記設定情報が示す垂直周波数で前記表示手段の表示制御を行う制御手段と、を備えることを特徴とする。
【手続補正３】
【補正対象書類名】明細書
【補正対象項目名】００１０
【補正方法】変更
【補正の内容】
【００１０】
また、本発明にかかる表示制御方法は、電子機器で実行される表示制御方法であって、前記電子機器が、表示制御の対象となる表示手段と、前記表示手段の近傍に配置された無線通信用の複数のアンテナ装置と、を有する表示部と、前記複数のアンテナ装置を介して、互いに異なる通信周波数帯で通信を行う複数の無線通信手段と、前記表示手段を制御する表示コントローラと、を有する本体と、前記表示部と前記本体とを開閉自在に構成するとともに、前記複数のアンテナ装置と前記複数の無線通信手段とを接続しかつ前記表示手段と前記表示コントローラとを接続するケーブルが配線されたヒンジ部と、前記表示手段を表示制御する動作周波数と、当該動作周波数で前記表示手段を表示制御するための情報であり、前記表示手段に表示する画面を１秒間に描画する回数である５９．９Hzより大きい値の垂直周波数および前記表示手段に表示する画面を描画するために準備を行う期間であり前記垂直周波数で画面を描画するために調整したブランキング期間を示す設定情報と、を対応付けて記憶する記憶手段と、を備え、前記複数の無線通信手段のうち、通信を行っている前記無線通信手段を特定する通信特定ステップと、前記記憶手段に記憶されている前記動作周波数のうち、当該動作周波数を整数倍しても、前記通信特定ステップにより特定された前記無線通信手段の前記通信周波数帯に含まれない前記動作周波数を特定する周波数特定ステップと、前記周波数特定ステップで特定された前記動作周波数と対応付けられた前記設定情報で表示制御を行うよう、前記表示コントローラに指示することで、前記設定情報が示すブランキング期間で前記表示手段に表示する画面を描画するための準備を行いかつ前記設定情報が示す垂直周波数で前記表示手段の表示制御を行う制御ステップと、を有することを特徴とする。